(57)【特許請求の範囲】
【請求項１】
伝送パケット化されたビットストリームを記録する記録装置に於て、記録ブロックのビット長の整数倍が前記伝送パケットのビット長となる、記録のフォーマットを行う記録フォーマット化手段と、前記記録フォーマット化手段からの出力を記録に適した信号に変換する記録処理手段と、前記記録処理手段からの出力を記録するための記録ヘッドと、時間基準信号を含む伝送パケット化されたビットストリームが入力された場合、入力信号から時間基準信号を抽出し、各伝送パケットの提示時刻を算出し、出力する提示時刻検出／生成手段と、前記提示時刻検出／生成手段からの出力を該当する前記伝送パケットに付加し、前記提示時刻を付加された前記伝送パケットのビット長の整数分の１を記録ブロックのビット長として、記録フォーマットを行う記録フォーマット化手段とを具備することを特徴とする記録装置。
【発明の詳細な説明】
【０００１】
【産業上の利用分野】
本発明は、記録装置に関するものである。
【０００２】
【従来の技術】
従来提案されている記録装置及び再生装置及び記録再生装置は、高能率符号化が施されており、フレーム間符号化が施されている画像を記録再生するものであった。
【０００３】
【発明が解決しようとする課題】
しかしながら、フレーム間符号化が施された画像を記録する場合に、データ内に誤りが生じた時、その誤りがフレームに渡って伝播し、画質が著しく劣化するという課題があった。
【０００４】
さらに、上記フレーム間符号化が施された画像信号が固定長の伝送パケット化されている場合には、記録ブロックのビット長と伝送パケットのビット長が異なれば、伝送パケットの誤り率が増加するという課題があった。
【０００５】
そこで、本発明はフレーム間符号化が施されている画像を記録する場合に於ても、誤りが発生しても、従来と同等の画質を提供し、さらに伝送パケット化されていても、伝送パケットの誤り率を増加させないことを提供するものである。
【０００６】
【課題を解決するための手段】
上記目的を達成するために、本発明の記録装置は、伝送パケット化されたビットストリームを記録する記録装置に於て、記録ブロックのビット長の整数倍が前記伝送パケットのビット長となる、記録のフォーマットを行う記録フォーマット化手段と、前記記録フォーマット化手段からの出力を記録に適した信号に変換する記録処理手段と、前記記録処理手段からの出力を記録するための記録ヘッドとを具備することを特徴とする。
また、時間基準信号を含む伝送パケット化されたビットストリームが入力された場合、入力信号から時間基準信号を抽出し、各伝送パケットの提示時刻を算出し、出力する提示時刻検出／生成手段と、前記提示時刻検出／生成手段からの出力を該当する前記伝送パケットに付加し、前記提示時刻を付加された前記伝送パケットのビット長の整数分の１を記録ブロックのビット長として、記録フォーマットを行う記録フォーマット化手段とを具備することを特徴とする。
【０００７】
【作用】
本発明は、上記した構成により、フレーム間符号化が施されている画像を記録する場合に於ても、誤りが発生しても、従来と同等の画質を提供することができる。
【０００８】
【実施例】
（実施例１）
以下、本発明の一実施例について図面を参照して説明する。図１は本発明の映像信号再生装置を示すブロック図である。図２は本発明の記録フォーマット回路の詳細図である。
【０００９】
図１において、１は提示時刻検出／生成回路であり、２は記録フォーマット化回路であり、３は記録処理回路であり、４は記録ヘッドであり、５は記録媒体であり、６は再生処理回路であり、７はフラグ制御回路であり、８は画像ヘッダ解析及びメモリー制御回路であり、９は伝送パケット化回路であり、１０は記憶回路であり、１１は復号回路であり、１２は提示時刻検出回路である。
【００１０】
図２において、１０１はメモリーであり、１０２は第２の誤り訂正符号化回路であり、１０３は第１の誤り訂正符号化回路であり、１０４は同期信号・識別信号付加回路である。
【００１１】
本実施例を容易に理解するために、入力信号は差分符号化とフレーム間符号化を用いているムービング  ピクチャー  エキスパート  グループ（ＭＰＥＧ（Ｍｏｖｉｎｇ  Ｐｉｃｔｕｒｅ  Ｅｘｐｅｒｔ  Ｇｒｏｕｐ））のビット系列とする。
【００１２】
なお、ＭＰＥＧについては、トリケップス出版部編集「ＭＰＥＧ技術」平成５年１２月発行に掲載されているのでここでは、割愛する。
【００１３】
提示時刻検出／生成回路１では入力された伝送パケット形式のＭＰＥＧのビット系列より、番組時間基準（ＰＣＲ）を抽出し、提示時間スタンプ（ＴＳ）を算出する。入力された伝送パケットのＴＳを算出する。そして、ＴＳ及び算出したＴＳを出力する。記録フォーマット化回路２では、入力された伝送パケット形式のＭＰＥＧのビットストリームに、それぞれの伝送パケットに対応したＴＳを付加して、記録に適した記録ブロック化を行う。この動作を図２を用いて、説明する。
【００１４】
入力信号はメモリ１０１に入力されると同時に提示時刻検出／生成回路１にも入力される。提示時刻検出／生成回路１では入力された伝送パケットのＴＳを算出して、出力する。このＴＳをメモリー上で伝送パケットに付加する。ＴＳが付加された伝送パケットを記録ブロックの単位として、複数の記録ブロックをメモリー１０１に２次元的に蓄える。そして、第２の誤り訂正符号化回路１０２を用いて、記録ブロックのビット系列とは独立（垂直）な方向に誤り訂正符号化を行う。このときの誤り訂正符号化は、例えば、リードソロモンの積符号化を行う。さらに、第１の誤り訂正符号化回路１０３で記録ブロックのビット系列と同方向に誤り訂正符号化を行う。最後に、同期信号・識別信号付加回路１０４により、記録ブロックごとに同期信号と識別信号を付加して、出力する。ここで、誤り訂正符号の検査パリティの設定は以下のように行う。
【００１５】
あらかじめ、差分符号化による誤った場合の伝播量を算出し、さらに、フレーム間符号化による誤った場合の伝播量を算出する。そして、従来のディジタルＶＴＲで使用されている誤り訂正符号が達成する誤り率より上記求めた伝播量の分誤り率を低下させることができる誤り訂正符号を構成する。
【００１６】
なお、リードソロモンの積符号化については、今井著「符号理論」電子情報通信学会平成２年発行に詳しく掲載されているので、ここでは、割愛する。
【００１７】
記録フォーマット化回路２からの出力は記録処理回路３に入力される。記録処理回路３では、記録に適した変調が施され、さらに、記録に適した増幅が行われ、出力される。ここで、記録に適した変調の方式については、江藤他著「ディジタルビデオ記録技術」日刊工業新聞社平成２年発行に詳しく掲載されているので、ここでは、割愛する。記録ヘッド４では記録処理回路４の出力を例えば磁気信号に変換して、記録媒体５に記録処理回路３の出力を記録する。
【００１８】
再生時には、再生ヘッド４を用いて、記録媒体５より、信号を取り出す。再生ヘッド４により取り出された信号は再生処理回路６に入力される。再生処理回路６では、入力信号を増幅し、復調を行って、ディジタル信号を復元し、出力する。ここで、復調については、江藤他著「ディジタルビデオ記録技術」日刊工業新聞社平成２年発行に詳しく掲載されているので、ここでは、割愛する。復号回路１１では、誤り訂正符号の復号を行い、出力する。この時、訂正可能な誤りが存在すれば、訂正を行って、出力する。
【００１９】
訂正不能の誤りが存在すれば、訂正を行わずに、その記録ブロック内に訂正不能な誤りが存在することを示すフラグをフラグ制御回路７及び画像ヘッダ解析及びメモリー制御回路８に出力する。復号回路１１の出力は記憶回路１０と提示時刻検出回路１２に入力される。記憶回路１０では復号回路１１からの出力を記憶する。この記憶回路１０は画像ヘッダ解析およびメモリー制御回路８で制御する。提示時刻検出回路１２は入力信号よりＴＳを検出し、記録されていた伝送パケットの提示時刻を出力する。
【００２０】
画像ヘッダ解析およびメモリー制御回路８は、記憶回路１０の制御ばかりでなく、記憶回路１０に入力されたデータの画像ヘッダを解析し、記録されていた伝送パケットがフレーム内符号化が施されている画面のデータかフレーム間符号化が施されている画面のデータかを識別する。
【００２１】
さらに、フレーム内符号化が施されている画面のデータの場合は、スライスヘッダまで解析する。フレーム内符号化が施されている画面のデータの場合には、画像ヘッダ解析およびメモリー制御回路８は以下のような動作を行う。復号回路１１からの訂正不能な誤りが存在することを示すフラグ情報により、訂正不能な誤りが存在すれば、その伝送パケットが含まれているスライスのデータを記憶回路から出力することをしないように記憶回路１０を制御する。
【００２２】
さらに、画面上、最も近傍の誤りの無いスライスのデータを記憶回路１０から出力するように制御を行う。そして、このような状態になっていることをフラグ制御回路７に出力する。フラグ制御回路７では、画像ヘッダ解析およびメモリー制御回路８の出力により、フラグを出力しない。伝送パケット化回路９では、記憶回路１０の出力及び伝送パケット化を行う。このとき、フラグ制御回路７より、フラグが立っている時は、誤りインジケータをオンにする。また、伝送パケットの出力すべき提示時刻を提示時刻検出回路１２から受取り、その情報に応じて、出力する。
【００２３】
なお、ここでは、ひとつの伝送パケットがひとつの記録ブロックに対応しているが、伝送パケットの同期と記録ブロックの同期がとれているだけでも伝送パケットの誤り率を低下させることができる。例えば、２つの記録ブロックで１つの伝送パケットを構成したり、３つの記録ブロックで１つの伝送パケットを構成したりである。
【００２４】
【発明の効果】
以上のように、本発明によれば、誤りの伝播量の分、さらに誤り率を低下させる機能を備えること及び伝送パケットの単位と記録ブロックの単位とを同期すること及びフレーム間処理が行われている画像に誤りが発生した場合に、誤りの生じたフレーム内で補間を行う手段を有することにより、フレーム間符号化が施されている画像を記録する場合に於ても、誤りが発生しても、従来と同等の画質を提供することができる。
【図面の簡単な説明】
【図１】本発明の一実施例の記録再生装置を示すブロック図
【図２】本発明の一実施例の記録再生装置の記録部の一部を示すブロック図
【符号の説明】
１  提示時刻検出／生成回路
２  フォーマット回路
３  記録処理回路
４  記録及び再生ヘッド
５  記録媒体
６  再生処理回路
７  フラグ制御回路
８  画像ヘッダ解析及びメモリ制御回路
９  伝送パケット化回路
１０  記億回路
１１  復号回路
１２  提示時刻検出回路
１０１  メモリ
１０２  提示時刻検出回路
１０３  誤り訂正符号化回路
１０４  同期信号識別信号付加回路
【図１】
0003572698.tif 000002
【図２】
0003572698.tif 000003